(57)【要約】【課題】移動電話機に着信した呼についてハンズフリー通話を、ユーザが容易かつ速やかに行える「ハンズフリー通話装置」を提供する。【解決手段】ユーザが着信したスマートフォン２を車載装置１に近づけると、車載装置１はスマートフォン２にBluetooth(登録商標）の通信接続に必要な情報をＮＦＣ（near field communication）の通信により送信し、スマートフォン２はＮＦＣの通信で受信した情報を用いて車載装置１とBluetoothによる接続を確立する。車載装置１は、着信中のスマートフォン２が、ＮＦＣの通信で受信した情報を用いて、Bluetoothによる接続を確立した場合、直ちに、スマートフォン２に着信に応答させ、ハンズフリー通話を開始する。【選択図】図１
2014179932.tif 000002
【特許請求の範囲】
【請求項１】
ハンズフリー通話機能をユーザに提供するハンズフリー通話装置であって、
ＮＦＣ（near field communication）を行うＮＦＣ装置と、
無線通信を行う無線通信装置と、
前記ＮＦＣ装置との間のＮＦＣの接続が確立した、前記ＮＦＣで受信した接続情報を用いて前記無線通信の接続を確立する機能を備えた移動電話機に、当該ハンズフリー通話装置との間の前記無線通信の接続を確立するための接続情報を、前記ＮＦＣを介して送信する接続情報送信手段と、
前記無線通信を介して接続した前記移動電話機を用いて、前記ハンズフリー通話機能をユーザに提供するハンズフリー制御手段とを備え、
前記ハンズフリー制御手段は、
前記無線通信装置との間の無線通信の接続を新たなに確立した移動電話機が、当該移動電話機に着信中に接続を確立した前記ＮＦＣで受信した接続情報を用いて当該無線通信の接続を確立した移動電話機である場合に、前記移動電話機に前記着信に対する応答を行わせ、
前記無線通信装置との間の無線通信の接続が既に確立している移動電話機に着信したときに、ユーザに対して応答の要否を問い合わせ、応答要を指示された場合に、前記移動電話機に前記着信に対する応答を行わせることを特徴とするハンズフリー通話装置。
【請求項２】
請求項１記載のハンズフリー通話装置であって、
前記ハンズフリー制御手段は、前記ＮＦＣで受信した接続情報を用いて当該無線通信の新たに接続を確立した移動電話機が着信中であった場合に、当該移動電話機が、当該移動電話機に着信中に接続を確立した前記ＮＦＣで受信した接続情報を用いて当該無線通信の接続を確立した移動電話機であると判定して、前記移動電話機に前記着信に対する応答を行わせることを特徴とするハンズフリー通話装置。
【請求項３】
請求項１または２記載のハンズフリー通話装置であって、
前記無線通信装置との間の無線通信の接続が確立している移動電話機の数が所定の上限数に達している状態で、前記無線通信装置との間の無線通信の接続を確立しようとする前記移動電話機が発生したときに、接続を確立しようとする前記移動電話機が、当該移動電話機に着信中に接続を確立した前記ＮＦＣで受信した接続情報を用いて当該無線通信の接続を確立しようとするものである場合に、既存の移動電話機との間の無線通信の接続を解除して、当該移動電話機との間の無線通信を確立し、他の場合に当該移動電話機との間の無線通信を確立を行わない無線通信接続確立手段を有することを特徴とするハンズフリー通話装置。
【請求項４】
前記無線通信は、Bluetoothによる無線通信であることを特徴とするハンズフリー通話装置。
【請求項５】
ＮＦＣ（near field communication）を行うＮＦＣ装置と、無線通信を行う無線通信装置とを備えたコンピュータによって読み取られ実行されるコンピュータプログラムであって、
前記コンピュータプログラムは、前記コンピュータを、
前記ＮＦＣ装置との間のＮＦＣの接続が確立した、当該ＮＦＣで受信した接続情報を用いて前記無線通信の接続を確立する機能を備えた移動電話機に当該ハンズフリー通話装置との間の前記無線通信の接続を確立するための接続情報を、前記ＮＦＣを介して送信する接続情報送信手段と、
前記無線通信を介して接続した前記移動電話機が備える移動電話機能を用いたハンズフリー通話機能をユーザに提供するハンズフリー制御手段として機能させ、
前記ハンズフリー制御手段は、
前記無線通信装置との間の無線通信の接続を新たなに確立した移動電話機が、当該移動電話機に着信中に接続を確立した前記ＮＦＣで受信した接続情報を用いて当該無線通信の接続を確立した移動電話機である場合に、前記移動電話機に前記着信に対する応答を行わせ、
前記無線通信装置との間の無線通信の接続が既に確立している移動電話機に着信したときに、ユーザに対して応答の要否を問い合わせ、応答要を指示された場合に、前記移動電話機に前記着信に対する応答を行わせることを特徴とするコンピュータプログラム。
【発明の詳細な説明】
【技術分野】
【０００１】
本発明は、移動電話機を用いてハンズフリー通話機能を提供するハンズフリー通話装置に関するものである。
【背景技術】
【０００２】
移動電話機を用いたユーザの通話形態としてハンズフリー通話と呼ばれる形態がある。
ハンズフリー通話とは、電話機を用いた通話を、送話音声の入力と受話音声の出力に電話機外部のマイクとスピーカを用いて行うものである。ここで、受話音声を出力するスピーカと、送話音声をピックアップするマイクを備え、以上のようなハンズフリー通話の機能を移動電話機（「携帯電話」とも呼称される）に付加する装置はハンズフリー通話装置と呼ばれており、主として、自動車内に設置され、運転中のユーザが、移動電話機を用いたハンズフリー通話を行えるようにするために用いられている。
【０００３】
そして、このようなハンズフリー通話装置に関する技術としては、移動電話機との接続に無線PANの一種であるBluetooth（登録商標）を用いる技術が知られている（たとえば、特許文献１）。
また、２つの装置間でBluetoothによる接続を確立する技術としては、一方の装置が、NFC（Near Field Communication）によってBluetoothによる接続に必要なアドレスやセキュリティ情報などの接続情報を他方の装置より取得すると共に、取得した接続情報を用いて他方の装置との間のBluetoothによる接続を確立する技術が知られている（たとえば、特許文献２）。
【先行技術文献】
【特許文献】
【０００４】
【特許文献１】特開2008-98767号公報
【特許文献２】特開2011-151745号公報
【発明の概要】
【発明が解決しようとする課題】
【０００５】
ハンズフリー通話装置において移動電話機との接続にBluetoothを用いる場合、移動電話機に着信した呼についてハンズフリー通話を行うときには、ハンズフリー通話の開始に先だって、移動電話機とハンズフリー通話装置のBluetoothによる接続の完了と、ユーザの着信した呼への応答の意思の確認とを行う必要がある。
【０００６】
そして、このために、ハンズフリー通話装置とのBluetoothによる接続が完了していない移動電話機に着信した呼についてのハンズフリー通話を開始するまでには、比較的長時間を要すると共に、ユーザの煩雑な操作が必要となっていた。
そこで、本発明は、ハンズフリー通話装置との間のハンズフリー通話に利用する通信の接続が完了していない移動電話機に着信した呼についてのハンズフリー通話を、ユーザが容易かつ速やかに行えるようにすることを課題とする。
【課題を解決するための手段】
【０００７】
前記課題達成のために、本発明は、ハンズフリー通話機能をユーザに提供するハンズフリー通話装置に、ＮＦＣ（near field communication）を行うＮＦＣ装置と、無線通信を行う無線通信装置と、前記ＮＦＣ装置との間のＮＦＣの接続が確立した、当該ＮＦＣで受信した接続情報を用いて前記無線通信の接続を確立する機能を備えた移動電話機に当該ハンズフリー通話装置との間の前記無線通信の接続を確立するための接続情報を、前記ＮＦＣを介して送信する接続情報送信手段と、前記無線通信を介して接続した前記移動電話機を用いて、前記ハンズフリー通話機能をユーザに提供するハンズフリー制御手段とを備え、前記ハンズフリー制御手段において、前記無線通信装置との間の無線通信の接続を新たなに確立した移動電話機が、当該移動電話機に着信中に接続を確立した前記ＮＦＣで受信した接続情報を用いて当該無線通信の接続を確立した移動電話機である場合に、前記移動電話機に前記着信に対する応答を行わせ、前記無線通信装置との間の無線通信の接続が既に確立している移動電話機に着信したときに、ユーザに対して応答の要否を問い合わせ、応答要を指示された場合に、前記移動電話機に前記着信に対する応答を行わせるようにしたものである。
【０００８】
ここで、このようなハンズフリー通話装置は、前記ハンズフリー制御手段において、前記ＮＦＣで受信した接続情報を用いて当該無線通信の新たに接続を確立した移動電話機が着信中であった場合に、当該移動電話機が、当該移動電話機に着信中に接続を確立した前記ＮＦＣで受信した接続情報を用いて当該無線通信の接続を確立した移動電話機であると判定して、前記移動電話機に前記着信に対する応答を行わせるように構成してもよい。
【０００９】
また、これらのようなハンズフリー通話装置には、前記無線通信装置との間の無線通信の接続が確立している移動電話機の数が所定の上限数に達している状態で、前記無線通信装置との間の無線通信の接続を確立しようとする前記移動電話機が発生したときに、接続を確立しようとする前記移動電話機が、当該移動電話機に着信中に接続を確立した前記ＮＦＣで受信した接続情報を用いて当該無線通信の接続を確立しようとするものである場合に、既存の移動電話機との間の無線通信の接続を解除して、当該移動電話機との間の無線通信を確立し、他の場合に当該移動電話機との間の無線通信を確立を行わない無線通信接続確立手段を設けるようにしてもよい。
【００１０】
なお、前記無線通信としては、たとえば、Bluetoothによる無線通信を用いることができる。
このようなハンズフリー通話装置によれば、ハンズフリー通話装置と無線通信の接続が確立していない、着信中の移動電話機がハンズフリー通話装置に近接すると、自動的に移動電話機とハンズフリー通話装置との無線通信の接続の確立と移動電話機による着信への応答とが行われ、ハンズフリー通話が開始される。よって、ユーザは、ハンズフリー通話装置と無線通信の接続が確立していない移動電話機への着信時に、移動電話機をハンズフリー通話装置に近づけるだけの容易な操作で、着信に対する応答動作などを必要とすることなく、その着信した呼について、ハンズフリー通話を速やかに開始することができるようになる。ここで、ユーザが、着信中の移動電話機をハンズフリー通話装置に近づける行為は、ユーザの着信へのハンズフリー通話による応答の意思と見なすことができるので、このように着信中の移動電話機がハンズフリー通話装置に近づけられたときに、自動的に着信への応答を行うことに支障は生じない。
【発明の効果】
【００１１】
以上のように、本発明によれば、ハンズフリー通話装置との間のハンズフリー通話に利用する通信の接続が完了していない移動電話機に着信した呼についてのハンズフリー通話を、ユーザが容易かつ速やかに行えるようになる。
【図面の簡単な説明】
【００１２】
【図１】本発明の実施形態に係るハンズフリー通話システムの構成を示すブロック図である
【図２】本発明の実施形態に係るハンズフリー通話システムの配置を示す図である。
【図３】本発明の実施形態に係るＮＦＣ通信処理とＢＴ接続処理を示すフローチャートである。
【図４】本発明の実施形態に係る着呼処理を示すフローチャートである。
【図５】本発明の実施形態に係る着信通知画面を示す図である。
【図６】本発明の実施形態に係るＨＦＰ接続処理を示すフローチャートである。
【発明を実施するための形態】
【００１３】
以下、本発明の実施形態について説明する。
図１に、本実施形態に係るハンズフリー通話システムの構成を示す。
図示するように、ハンズフリー通話システムは自動車に搭載された車載装置１と、車載装置１に選択的に接続するスマートフォン２とより構成される。
そして、車載装置１は、入力装置１０１、表示装置１０２、マイクやスピーカなどを備えた音声入出力装置１０３、NFC（Near Field Communication）インタフェースによる通信を行うＮＦＣモジュール１０４、Bluetoothインタフェースによる通信を行うＢＴモジュール１０５、車載装置１のＯＳであるところのオペレーティングシステム１０６、オペレーティングシステム１０６によって管理されオペレーティングシステム１０６上で稼働する複数のアプリケーションを備えている。
【００１４】
また、車載装置１は、オペレーティングシステム１０６上で稼働するアプリケーションとして、ＨＦＴクライアントアプリケーション１０７と、カーナビゲーションアプリケーションなどのその他のアプリケーション１０８を備えている。
また、車載装置１のオペレーティングシステム１０６には、ＮＦＣモジュール１０４を制御してＮＦＣによる通信機能を提供するＮＦＣドライバ１０６１と、ＢＴモジュール１０５を制御してBluetoothを用いた通信機能を提供するＢＴドライバ１０６２とが組み込まれている。そして、ＨＦＴクライアントアプリケーション１０７や他のアプリケーション１０８は、オペレーティングシステム１０６を介してＮＦＣドライバ１０６１やＢＴドライバ１０６２が提供する通信機能を利用してＮＦＣやBluetoothによる通信を行うことができる。
【００１５】
一方、スマートフォン２は、移動電話機としての機能を備えたモバイル装置であり、図示するように、操作部２０１、ディスプレイ２０２、マイクやスピーカなどを備えた音声入出力部２０３、移動電話網にアクセスするための移動通信装置２０４、NFCインタフェースによる通信を行うＮＦＣモジュール２０５、Bluetoothインタフェースによる通信を行うＢＴモジュール２０６、スマートフォン２のＯＳであるところのオペレーティングシステム２０７、オペレーティングシステム２０７によって管理されオペレーティングシステム２０７上で稼働する複数のアプリケーションを備えている。
【００１６】
また、スマートフォン２は、オペレーティングシステム２０７上で稼働するアプリケーションとして、ＨＦＴホストアプリケーション２０８、移動電話アプリケーション２０９、メディアプレイヤなどのその他のアプリケーション２１０を備えている。ここで、移動電話アプリケーション２０９は、移動通信装置２０４や音声入出力部２０３や操作部２０１を用いた移動電話機能を提供するアプリケーションである。
【００１７】
また、スマートフォン２のオペレーティングシステム２０７には、ＮＦＣモジュール２０５を制御してＮＦＣによる通信機能を提供するＮＦＣドライバ２０７１と、ＢＴモジュール２０６を制御してBluetoothを用いた通信機能を提供するＢＴドライバ２０７２とが組み込まれている。そして、ＨＦＴホストアプリケーション２０８や他のアプリケーションは、オペレーティングシステム２０７を介してＮＦＣドライバ２０７１やＢＴドライバ２０７２が提供する通信機能を利用してＮＦＣやBluetoothによる通信を行うことができる。
【００１８】
ただし、車載装置１は、ハードウエア的には、ＣＰＵやメモリなどを備えたコンピュータを用いて構成されるものであり、オペレーティングシステム１０６や、各アプリケーション１０７、１０８などは、当該コンピュータが、所定のコンピュータプログラムを実行することにより実現されるものである。また、同様に、スマートフォン２は、ハードウエア的には、ＣＰＵやメモリなどを備えたコンピュータを用いて構成されるものあり、オペレーティングシステム２０７や、各アプリケーション２０８-２１０などは、当該コンピュータが、所定のコンピュータプログラムを実行することにより実現されるものである。
【００１９】
さて、このような構成において、車載装置１のオペレーティングシステム１０６のＢＴドライバ１０６２と、スマートフォン２のオペレーティングシステム２０７のＢＴドライバ２０７２は、Bluetoothの通信を利用したハンズフリー通話を実現するための仕様であるＨＦＰ（Hands-Free Profile）に対応している。
【００２０】
そして、このようなＨＦＰを利用して、スマートフォン２のＨＦＴホストアプリケーション２０８と車載装置１のＨＦＴクライアントアプリケーション１０７は、Bluetoothの通信接続上に、ＨＦＰ接続を確立し、以下のＨＦＴ制御動作を行うことにより車載装置１のユーザにハンズフリー通話機能を提供する。
【００２１】
すなわち、ＨＦＴ制御動作において、車載装置１のＨＦＴクライアントアプリケーション１０７は、入力装置１０１から入力されるユーザ操作や、スマートフォン２の移動通信装置２０４の通信状態に応じてスマートフォン２のＨＦＴホストアプリケーション２０８からＨＦＰ接続を介して通知される着呼通知や呼切断通知などの状態情報に応じて、スマートフォン２の移動通信装置２０４の発呼動作や着呼応答動作や呼切断動作などの呼制御動作やその他の各種通信動作の制御を、ＨＦＰ接続を介して、スマートフォン２のＨＦＴホストアプリケーション２０８に実行させる。
【００２２】
また、このような呼制御動作によって呼が確立されたならば、スマートフォン２のＨＦＴホストアプリケーション２０８と車載装置１のＨＦＴクライアントアプリケーション１０７は、通話処理を実行する。当該通話処理では、スマートフォン２のＨＦＴホストアプリケーション２０８は、移動通信装置２０４を介して通話相手の電話機から受信した音声を受信音声信号として、車載装置１のＨＦＴクライアントアプリケーション１０７にＨＦＰ接続を介して送る。また、車載装置１のＨＦＴクライアントアプリケーション１０７は、受け取った受信音声信号を音声入出力装置１０３からユーザに対して出力する。また、車載装置１のＨＦＴクライアントアプリケーション１０７は、音声入出力装置１０３から入力するユーザが発話した音声信号を、送信音声信号としてスマートフォン２のＨＦＴホストアプリケーション２０８にＨＦＰ接続を介して送り、ＨＦＴホストアプリケーション２０８は、受け取った送信音声信号を、移動通信装置２０４を介して通話相手の電話機に送信する。
【００２３】
さて、ここで図２ａに示すように、車載装置１は、自動車のダッシュボードに表示装置１０２の表示面が露出するように配置される。
また、車載装置１のＮＦＣモジュール１０４のＮＦＣの通信用のアンテナは表示装置１０２の近辺に設けられており、図示するように、スマートフォン２を車載装置１の表示装置１０２の表示面に近づけると、車載装置１のＮＦＣモジュール１０４とスマートフォン２のＮＦＣモジュール２０５とのＮＦＣの通信が自動的に開始される。
【００２４】
なお、図２ｂに示すように、Bluetoothによる通信は、車載装置１とスマートフォン２とが比較的離れた位置にある場合にも実行可能である。
以下、このようなハンズフリー通話システムにおいて、NFCを利用して、ユーザのハンズフリー通話の開始操作を容易化する動作について説明する。
まず、車載装置１のＮＦＣドライバ１０６１が行うＮＦＣ通信処理について説明する。
図３ａに、ＮＦＣ通信処理の手順を示す。
図示するように、この処理では、車載装置１のＮＦＣドライバ１０６１は、図２ａに示すようにスマートフォン２を車載装置１の表示装置１０２の表示面に近づけられ、スマートフォン２とのＮＦＣの通信が開始すると（ステップ３０２）、車載装置１とBluetoothの通信を接続するために必要な情報（Bluetoothのデバイスアドレスや、Bluetoothの機器認証用のペアリングコードまたはパスコードまたはPINコード）をＢＴ接続情報としてＮＦＣの通信によりスマートフォン２に送信する（ステップ３０４）。
【００２５】
そして、スマートフォン２よりスマートフォン２の識別情報と、スマートフォン２の着信中（呼び出し中）、通話中、待ち受け中などの現在の移動通信装置２０４の通信状態とを含む端末情報を受信し（ステップ３０６）、受信した端末情報をＮＦＣ接続端末情報としてＨＦＴクライアントアプリケーション１０７に通知する（ステップ３０８）。ここで、スマートフォン２のＮＦＣドライバ２０７１は、移動通信装置２０４の通信状態を取得する機能を備えており、ＮＦＣの通信の接続が確立した他の装置に上述のように取得した通信情報を含む端末情報を送信する。
【００２６】
そして、ＢＴドライバ１０６２のＢＴ接続処理を起動し（ステップ３１０）、ステップ３０２からの処理に戻る。
次に、以上のＮＦＣ通信処理のステップ３１０で起動されるＢＴドライバ１０６２のＢＴ接続処理について説明する。
図３ｂに、ＢＴドライバ１０６２が行うＢＴ接続処理の手順を示す。
図示するように、この処理では、所定のタイムアウト時間を設定したタイマをスタートする（ステップ３５２）。
そして、Bluetoothによる通信が可能な他の装置であるＢＴスレーブを探索するＢＴスレーブ探索処理を開始する（ステップ３５４）。
そして、ＢＴスレーブの発見の発生と（ステップ３５６）、タイマのタイムアウトの発生を監視する（ステップ３５８）。
そして、ＢＴスレーブが発見されたならば、ＢＴスレーブとペアリングに必要な情報を送受しながらＢＴスレーブを認証しBluetoothの通信を接続するペアリング処理を行う（ステップ３６０）。
ここで、発見されたＢＴスレーブが、図３ａのＮＦＣ通信処理で車載装置１より送信されるＢＴ接続情報を受信しているスマートフォン２である場合、当該スマートフォン２は、受信したＢＴ接続情報を用いて、ペアリングに必要な情報を車載装置１と送受し、車載装置１との間のペアリングを成功させる。
【００２７】
そして、ペアリングが失敗した場合には（ステップ３６２）、ステップ３５６、３５８の監視に戻り、ペアリングが成功した場合には（ステップ３６２）、サービス接続処理を実行し（ステップ３６４）、ステップ３５６、３５８の監視に戻る。
ここで、サービス接続処理では、ペアリングが成功した両装置が備えているサービス（プロファイル）の探索や、両装置が備える対応するサービス間の接続を確立する。ここで、車載装置１とスマートフォン２の間では、両者がＨＦＰを備えているので、このサービス接続処理によって、上述したＨＦＰ接続が確立することとなる。なお、車載装置１との間でＨＦＰ接続が確立するとスマートフォン２のＨＦＴホストアプリケーション２０８は、移動通信装置２０４の通信状態に応じて、着呼通知や呼切断通知などの状態情報のＨＦＰ接続を介した、車載装置１のＨＦＴクライアントアプリケーション１０７への通知を開始する。ここで、ＨＦＰ接続が確立した時点で移動通信装置２０４の状態が着信中（呼び出し中）である場合には、スマートフォン２のＨＦＴホストアプリケーション２０８は、ＨＦＰ接続が確立すると着呼通知を車載装置１のＨＦＴクライアントアプリケーション１０７に通知する。
【００２８】
一方、タイマのタイムアウトが発生した場合には（ステップ３５８）、ＢＴスレーブ探索処理を終了し（ステップ３６６）、ＢＴ接続処理を終了する。
次に、車載装置１のＨＦＴクライアントアプリケーション１０７が行う着呼処理について説明する。
図４に、着呼処理の手順を示す。
図示するように、この処理では、車載装置１のＨＦＴクライアントアプリケーション１０７は、上述したＮＦＣ通信処理によってＮＦＣドライバ１０６１から通知されるＮＦＣ接続端末情報の受信の発生（ステップ４０２）と、スマートフォン２のＨＦＴホストアプリケーション２０８からの着呼通知の受信の発生（ステップ４０４）とを監視する。
【００２９】
そして、ＮＦＣ接続端末情報の受信が発生した場合には（ステップ４０２）、タイマをスタートし（ステップ４０６）、ステップ４０２、４０４の監視に戻る。
一方、スマートフォン２のＨＦＴホストアプリケーション２０８からの着呼通知の受信が発生した場合には（ステップ４０４）、現在のタイマの値が所定時間（たとえば、１秒）以内であって、かつ、ステップ４０２で受信したＮＦＣ接続端末情報が、着信中を示す通信状態と、着呼通知の通知元のスマートフォン２を示す識別情報とを含むものであるかどうかを調べ（ステップ４０８）、そうでない場合にはステップ４１０に進み、そうである場合には、ステップ４２０に進む。
【００３０】
ただし、ステップ４０８は、簡易的には、現在のタイマの値が所定時間（たとえば、１秒）以内であって、かつ、ステップ４０２で受信したＮＦＣ接続端末情報が着呼通知の通知元のスマートフォン２を示す識別情報とを含むものである場合にステップ４２０に進み、他の場合にステップ４１０に進むものとしてもよい。また、この場合には、スマートフォン２のＮＦＣドライバ２０７１において送信する端末情報に通信状態を含めないようにしてよい。
【００３１】
次に、以上のようにステップ４１０に進んだならば、図５に示すような着呼通知画面５００を表示装置１０２に表示する。ここで、着呼通知画面５００には、発呼元を示す発呼元の電話番号などの情報を表示する。また、着呼通知画面５００には、応答ボタン５１０と拒否ボタン５１１が設けられており、これらのボタンの操作によって、ユーザの着呼に対する応答操作と応答拒否操作とを受け付ける。
【００３２】
そして、着呼通知画面５００を表示したならば（ステップ４１０）、スマートフォン２のＨＦＴホストアプリケーション２０８からの呼切断通知の受信の発生（ステップ４１２）と、拒否ボタン５１１による応答拒否操作の発生（ステップ４１４）と、応答ボタン５１０による応答操作の発生（ステップ４１６）とを監視する。
【００３３】
そして、スマートフォン２のＨＦＴホストアプリケーション２０８からの呼切断通知の受信が発生した場合には（ステップ４１２）、着信通知画面の表示を消去して（ステップ４２４）、ステップ４０２からの処理に戻る。
また、拒否ボタン５１１による応答拒否操作が発生した場合には（ステップ４１４）、スマートフォン２のＨＦＴホストアプリケーション２０８を介して移動通信装置２０４の着呼に対する呼切断動作を制御し（ステップ４１８）、着信通知画面の表示を消去して（ステップ４２４）、ステップ４０２からの処理に戻る。
【００３４】
一方、応答ボタン５１０による応答操作が発生した場合には（ステップ４１６）、ステップ４２０に進む。
そして、以上のようにしてステップ４０８またはステップ４１６からステップ４２０に進んだならば、スマートフォン２のＨＦＴホストアプリケーション２０８介して移動通信装置２０４の着呼に対する着呼応答動作を制御する。そして、上述した通話処理を開始することによりハンズフリー通話を開始し（ステップ４２２）、着信通知画面の表示を消去して（ステップ４２４）、ステップ４０２からの処理に戻る。
【００３５】
以上、本発明の実施形態について説明した。
このようなハンズフリー通話システムによれば、車載装置１とBluetoothの接続が確立していない、着信中のスマートフォン２が車載装置１に近づけられると、自動的にスマートフォン２と車載装置１とBluetoothの接続の確立とスマートフォン２による着信への応答とが行われ、ハンズフリー通話が開始される。よって、ユーザは、車載装置１とのBluetoothの接続が確立していないスマートフォン２への着信時に、スマートフォン２を車載装置１に近づけるだけの容易な操作で、着信に対する特別な応答動作などを必要とすることなく、その着信した呼について、ハンズフリー通話を速やかに開始することができるようになる。ここで、ユーザが、着信中のスマートフォン２を車載装置１に近づける行為、または、着信中のスマートフォン２と車載装置１のBluetoothの接続を行おうとする行為は、ユーザの着信へのハンズフリー通話による応答の意思と見なすことができるので、このように着信中のスマートフォン２が車載装置１に近づけられたときに、自動的に着信への応答を行うことに支障は生じない。
【００３６】
ところで、以上の実施形態における図３ｂのＢＴ接続処理のステップ３６４で行うサービス接続処理におけるＨＦＰ接続の確立は、車載装置１のＨＦＰ接続数の上限が設定されている場合には、以下のようにして行うようにしてもよい。
すなわち、図３ａに示したＮＦＣ通信処理のステップ３１０において、ＮＦＣドライバ１０６１は、起動したＢＴドライバ１０６２のＢＴ接続処理に、ステップ３０６で取得した端末情報を通知するようにする。
そして、車載装置１のＢＴドライバ１０６２は、ＢＴ接続処理のステップ３６２で行うサービス接続処理のサービスの探索により、ペアリングが完了した他の装置にＨＦＰが発見されたならば、当該他の装置を対象装置として、図６に示すＨＦＰ接続処理を行う。
【００３７】
そして、図示するように、このＨＦＰ接続処理において、車載装置１のＢＴドライバ１０６２は、現在確立している既存のＨＦＰ接続数が上限値Ｎ未満であるかどうかを調べ（ステップ６０２）、上限値Ｎ未満であれば、対象装置との間のＨＦＰ接続を確立し（ステップ６０４）、ＨＦＰ接続処理を終了する。
【００３８】
一方、既存のＨＦＰ接続数が上限値Ｎであれば（ステップ６０２）、対象装置が、上述のようにしてＮＦＣ通信処理から通知された端末情報に含まれる識別情報が示すスマートフォン２、すなわち、ＮＦＣ通信を利用してBluetooth接続を確立したスマートフォン２であって、かつ、端末情報に含まれる通信状態が着信中を示しているかどうかを調べる（ステップ６０６）。
【００３９】
そして、ＮＦＣ通信を利用してBluetooth接続を確立したスマートフォン２であり、かつ、端末情報に含まれる通信状態が着信中を示していれば（ステップ６０６）、既存のＨＦＰ接続を一つ解除した上で（ステップ６０８）、対象装置との間のＨＦＰ接続を確立し（ステップ６０４）、ＨＦＰ接続処理を終了する。
【００４０】
一方、ＮＦＣ通信を利用してBluetooth接続を確立したスマートフォン２でないか、端末情報に含まれる通信状態が着信中を示していなければ（ステップ６０６）、対象装置との間のＨＦＰ接続の確立を拒否し（ステップ６１０）、ＨＦＰ接続処理を終了する。
【００４１】
このように、ＢＴドライバ１０６２において、ＨＦＰ接続の確立を行うことにより、ユーザが、車載装置１とBluetoothの接続が確立していないスマートフォン２への着信時に、スマートフォン２を車載装置１に近づけたときには、既存のＨＰＦ接続の数や有無に関わらずに、必ず、その着信した呼について、ハンズフリー通話が開始されることを保証することができるようになる。
【００４２】
なお、以上の実施形態は、スマートフォン２に代えて移動電話機能を備えた任意の携帯装置を用いる場合にも同様に適用することができる。
また、以上の実子形態は、Bluetoothに代えて、WI-FIなどの他の無線通信を用いる場合にも同様に適用することができる。
【符号の説明】
【００４３】
１…車載装置、２…スマートフォン、１０１…入力装置、１０２…表示装置、１０３…音声入出力装置、１０４…ＮＦＣモジュール、１０５…ＢＴモジュール、１０６…オペレーティングシステム、１０７…ＨＦＴクライアントアプリケーション、２０１…操作部、２０２…ディスプレイ、２０３…音声入出力部、２０４…移動通信装置、２０５…ＮＦＣモジュール、２０６…ＢＴモジュール、２０７…オペレーティングシステム、２０８…ＨＦＴホストアプリケーション、２０９…移動電話アプリケーション、１０６１…ＮＦＣドライバ、１０６２…ＢＴドライバ、２０７１…ＮＦＣドライバ、２０７２…ＢＴドライバ。
【図１】
2014179932.tif 000003
【図２】
2014179932.tif 000004
【図３】
2014179932.tif 000005
【図４】
2014179932.tif 000006
【図５】
2014179932.tif 000007
【図６】
2014179932.tif 000008